(57)【要約】      （修正有）【課題】撮影対象を撮影して生成された画像情報と、撮影対象を扱う店舗とを関連付ける撮影対象管理プログラム及び情報処理装置を提供する。【解決手段】情報処理サーバ１は、撮影対象を撮影して生成された画像情報の撮影方向を含む撮影情報に基づいて当該撮影対象の位置を特定し、予め登録された複数の店舗の位置情報を参照し、撮影対象の位置が店舗の前記位置情報に対して予め定められた範囲内に含まれる場合、少なくとも１つの店舗と当該画像情報とを関連付ける店舗管理手段１０２を有する。【選択図】図２
2019204516.tif 000002
【特許請求の範囲】
【請求項１】
コンピュータを、
撮影対象を撮影して生成された画像情報の撮影方向を含む撮影情報に基づいて当該撮影対象の位置を特定し、予め登録された複数の店舗の位置情報を参照し、前記撮影対象の位置が前記店舗の前記位置情報に対して予め定められた範囲内に含まれる場合、少なくとも１つの店舗と当該画像情報とを関連付ける管理手段として機能させるための撮影対象管理プログラム。
【請求項２】
撮影対象を撮影して生成された画像情報の撮影方向を含む撮影情報に基づいて当該撮影対象の位置を特定し、予め登録された複数の店舗の位置情報を参照し、前記撮影対象の位置が前記店舗の前記位置情報に対して予め定められた範囲内に含まれる場合、少なくとも１つの店舗と当該画像情報とを関連付ける管理手段を有する情報処理装置。
【発明の詳細な説明】
【技術分野】
【０００１】
本発明は、撮影対象管理プログラム及び情報処理装置に関する。
【背景技術】
【０００２】
従来の技術として、撮影した店舗を特定する情報処理装置が提案されている（例えば、特許文献１参照）。
【０００３】
特許文献１に開示された情報処理装置は、位置情報取得機能及び撮影方向特定機能を有する携帯端末で画像が撮影された場合に、当該携帯端末から画像情報、位置情報及び撮影方向を取得し、撮影位置と撮影方向と撮影対象である店舗との距離とに基づいて撮影された店舗を特定する。また、店舗の候補が複数ある場合には、地図情報に基づいて店舗の候補との間に建物等がある場合は当該建物等によって遮られて撮影が不可能であるため当該候補を除外する。また、店舗が特定された場合には当該店舗のＵＲＬ等の関連情報を撮影した画像とともに携帯端末に表示する。
【先行技術文献】
【特許文献】
【０００４】
【特許文献１】特開２０１３−２２２３３５号公報
【発明の概要】
【発明が解決しようとする課題】
【０００５】
本発明の目的は、撮影対象を撮影して生成された画像情報と、撮影対象を扱う店舗とを関連付ける撮影対象管理プログラム及び情報処理装置を提供することにある。
【課題を解決するための手段】
【０００６】
本発明の一態様は、上記目的を達成するため、以下の撮影対象管理プログラム及び情報処理装置を提供する。
【０００７】
［１］コンピュータを、
撮影対象を撮影して生成された画像情報の撮影方向を含む撮影情報に基づいて当該撮影対象の位置を特定し、予め登録された複数の店舗の位置情報を参照し、前記撮影対象の位置が前記店舗の前記位置情報に対して予め定められた範囲内に含まれる場合、少なくとも１つの店舗と当該画像情報とを関連付ける管理手段として機能させるための撮影対象管理プログラム。
［２］撮影対象を撮影して生成された画像情報の撮影方向を含む撮影情報に基づいて当該撮影対象の位置を特定し、予め登録された複数の店舗の位置情報を参照し、前記撮影対象の位置が前記店舗の前記位置情報に対して予め定められた範囲内に含まれる場合、少なくとも１つの店舗と当該画像情報とを関連付ける管理手段を有する情報処理装置。
【発明の効果】
【０００８】
請求項１、２に係る発明によれば、撮影対象を撮影して生成された画像情報と、撮影対象を扱う店舗とを関連付けることができる。
【図面の簡単な説明】
【０００９】
【図１】図１は、実施の形態に係る情報処理システムの構成の一例を示す概略図である。
【図２】図２は、実施の形態に係る情報処理サーバの構成例を示すブロック図である。
【図３】図３は、実施の形態に係る携帯端末の構成例を示すブロック図である。
【図４】図４は、商品情報の構成の一例を示す概略図である。
【図５】図５は、店舗情報の構成の一例を示す概略図である。
【図６】図６は、カタログ情報の構成の一例を示す概略図である。
【図７】図７（ａ）−（ｄ）は、携帯端末側の動作の一例を示す概略図である。
【図８】図８は、情報処理サーバの動作の一例を示すフローチャートである。
【図９】図９（ａ）及び（ｂ）は、店舗管理手段の動作の一例を示す概略図である。
【発明を実施するための形態】
【００１０】
［実施の形態］
（情報処理システムの構成）
図１は、実施の形態に係る情報処理システムの構成の一例を示す概略図である。
【００１１】
この情報処理システムは、情報処理サーバ１と、携帯端末２と、端末３ａ、３ｂとをネットワーク５によって互いに通信可能に接続することで構成される。携帯端末２は利用者４によって操作されるものであり、端末３ａ、３ｂはそれぞれ店舗３０ａ、３０ｂに設置されて各店舗の店員により操作されるものである。
【００１２】
上記した構成において、利用者４は、店舗３０ａ、３０ｂ又はその近辺において商品３００ａ、３００ｂから気になる商品があればこれを撮影対象とし、携帯端末２で撮影する。撮影された商品の画像情報は撮影情報とともにネットワーク５を介して情報処理サーバ１に送信され、情報処理サーバ１は当該画像情報の商品を扱う店舗を特定し、当該店舗に設置された端末を送信先として画像情報を送信して商品に関する情報の確認を要求し、取得する。情報処理サーバ１は取得した商品に関する情報と画像情報とを関連付け、カタログ形式にして携帯端末２に送信し、利用者４は携帯端末２でカタログを閲覧し、気に入った商品があれば購入手続きをするものである。
【００１３】
情報処理サーバ１は、サーバ型の情報処理装置であり、携帯端末２の要求に応じて動作するものであって、本体内に情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。
【００１４】
携帯端末２は、携帯電話やタブレット端末等であって、本体内に情報を処理するための機能を有するＣＰＵやフラッシュメモリに加え、商品を撮影するためのカメラ、位置情報を取得するためのＧＰＳ（Ｇｌｏｂａｌ  Ｐｏｓｉｔｉｏｎｉｎｇ  Ｓｙｓｔｅｍ）、撮影時の携帯端末２の姿勢を検出する加速度センサ、撮影方向を検出する電子コンパス等を備える。なお、ＧＰＳ、加速度センサ、電子コンパス等は携帯端末２と別体のデジタルカメラ等が有し、通信することで携帯端末２が情報を受信するものであってもよい。
【００１５】
端末３ａ、３ｂは、ＰＣ（Ｐｅｒｓｏｎａｌ  Ｃｏｍｐｕｔｅｒ）等の情報処理装置であって、本体内に情報を処理するための機能を有するＣＰＵやフラッシュメモリ等の電子部品を備える。
【００１６】
ネットワーク５は、通信ネットワークであり、例えば、インターネットやＬＡＮ（Ｌｏｃａｌ  Ａｒｅａ  Ｎｅｔｗｏｒｋ）等の有線及び無線の通信網である。
【００１７】
なお、情報処理サーバ１は図中で単体を示しているが、複数台用意してジョブを分散処理してもよい。また、携帯端末２は図中で単体を示しているが、利用者の人数に合わせて複数台用意するものであってもよい。また、端末３ａ、３ｂは店舗毎に用意されるものであり、店舗の数によって増減してもよいし、１の店舗に複数台用意されるものであってもよい。
【００１８】
（情報処理装置の構成）
図２は、実施の形態に係る情報処理サーバ１の構成例を示すブロック図である。
【００１９】
情報処理サーバ１は、ＣＰＵ等から構成され、各部を制御するとともに、各種のプログラムを実行する制御部１０と、フラッシュメモリ等の記憶媒体から構成され情報を記憶する記憶部１１と、ネットワーク５を介して外部と通信する通信部１２とを備える。
【００２０】
制御部１０は、後述する商品管理プログラム１１０を実行することで、画像受付手段１００、撮影情報受付手段１０１、店舗管理手段１０２、商品管理手段１０３、商品確認手段１０４、メタタグ管理手段１０５、カタログ生成手段１０６、カタログ表示手段１０７及び商品発注手段１０８等として機能する。
【００２１】
画像受付手段１００は、携帯端末２において撮影され、携帯端末２から送信される画像情報を受け付ける。
【００２２】
撮影情報受付手段１０１は、携帯端末２から画像情報とともに送信される撮影情報を受け付ける。ここで、撮影情報とは、画像受付手段１００が受け付けた画像情報を撮影した際の携帯端末２の位置を表す位置情報、撮影方向、焦点距離等の情報をいう。位置情報、撮影方向、焦点距離は、それぞれ携帯端末２のＧＰＳ、加速度センサ、カメラから得られる情報である。
【００２３】
店舗管理手段１０２は、撮影情報受付手段１０１が受け付けた撮影情報に基づいて、商品の位置を特定し、店舗情報１１２に登録された複数の情報から、少なくとも一の画像情報に含まれる商品を扱う店舗を特定する。なお、店舗情報１１２は位置情報と店舗に関する情報を関連付けた情報である。
【００２４】
商品管理手段１０３は、画像情報に含まれる商品に関する情報を画像情報に関連付けて商品情報１１１に登録する。画像受付手段１００が画像情報を受け付けた時点では商品に関する情報が不明であるため情報がブランクのまま登録され、以下に述べる商品確認手段１０４及びメタタグ管理手段１０５によって商品に関する情報が得られたタイミングで、追加で情報が登録される。なお、受け付けた画像情報に似た画像情報が既に登録されている場合は、当該既に登録された画像情報と当該商品と同一として商品情報１１１に登録してもよい。
【００２５】
商品確認手段１０４は、店舗管理手段１０２が特定した店舗に画像情報を送信して、画像情報に含まれる商品に関する情報の確認を要求し、店舗から返信された商品に関する情報を受け付けて商品情報１１１に登録する。商品に関する情報の具体例は、商品名、商品の在庫、納期、価格等である。送信方法は、電子メール、ＦＡＸ、ＳＮＳのメッセージ機能等、情報を伝達できるものであれば手段は問わない。なお、商品の確認は自動化してもよいし、人手による問い合わせを支援するものであってもよい。
【００２６】
メタタグ管理手段１０５は、画像情報に含まれる商品と同一商品の情報が予め登録されている場合に、当該情報をメタタグ情報として商品情報１１１に登録する。
【００２７】
カタログ生成手段１０６は、商品情報１１１に基づいて画像情報と商品に関する情報とを関連付けたカタログ情報１１３を利用者毎に生成する。
【００２８】
カタログ表示手段１０７は、カタログ情報１１３を携帯端末２に表示処理する。具体的には携帯端末２で撮影した画像情報と、当該画像情報に含まれる商品に関する情報とを関連付けて表示する。
【００２９】
商品発注手段１０８は、携帯端末２において商品を発注する操作がなされると、当該商品を扱う店舗に商品の発注処理を行う。
【００３０】
記憶部１１は、制御部１０を上述した各手段１００−１０８として動作させる撮影対象管理プログラムとしての商品管理プログラム１１０、商品情報１１１、店舗情報１１２及びカタログ情報１１３等を記憶する。
【００３１】
（携帯端末の構成）
図３は、実施の形態に係る携帯端末２の構成例を示すブロック図である。
【００３２】
携帯端末２は、ＣＰＵ等から構成され、各部を制御するとともに、各種のプログラムを実行する制御部２０と、フラッシュメモリ等の記憶媒体から構成され情報を記憶する記憶部２１と、撮影により画像情報を生成する撮像部２２と、位置情報を取得するためのＧＰＳ、撮影時の携帯端末２の姿勢を検出する加速度センサ、撮影方向を検出する電子コンパス等から構成されるセンサ部２３と、ネットワーク５を介して外部と通信する通信部２４と、ＬＣＤ等から構成されて文字や画像を表示する表示部２５と、スイッチやタッチセンサ等から構成される操作部２６とを備える。
【００３３】
制御部２０は、後述する携帯端末制御プログラム２１０を実行することで、撮像手段２００、撮影情報取得手段２０１、通信手段２０２、カタログ情報受付手段２０３及びカタログ表示手段２０４等として機能する。
【００３４】
撮像手段２００は、撮像部２２を制御して撮像対象を撮影させ、生成された画像情報２１１を記憶部２１に格納する。
【００３５】
撮影情報取得手段２０１は、撮影時にセンサ部２３から撮影情報２１２を取得し、記憶部２１に格納する。なお、撮影情報２１２は、ＧＰＳから取得される位置情報、加速度センサから取得される姿勢情報、電子コンパスから取得される撮影方向情報に加え、撮像部２２から取得される焦点距離も含むものである。
【００３６】
通信手段２０２は、画像情報２１１及びこれに対応した撮影情報２１２を通信部２４を介して情報処理サーバ１に送信する。
【００３７】
カタログ情報受付手段２０３は、情報処理サーバ１からカタログ情報２１３を受け付けて記憶部２１に格納する。
【００３８】
カタログ表示手段２０４は、カタログ情報２１３を表示部２５に表示する。
【００３９】
記憶部２１は、制御部２０を上述した各手段２００−２０４として動作させる携帯端末制御プログラム２１０、画像情報２１１、撮影情報２１２及びカタログ情報２１３等を記憶する。
【００４０】
図４は、商品情報１１１の構成の一例を示す概略図である。
【００４１】
商品情報１１１は、商品を識別するための商品ＩＤと、商品を扱う店舗を識別するための店舗ＩＤと、商品を含む画像情報を識別するための画像ＩＤと、画像情報を撮影した利用者を識別するための撮影者ＩＤと、画像情報を撮影した場所を示す撮影場所と、商品に関する情報を示すメタタグ情報とを有する。
【００４２】
図５は、店舗情報１１２の構成の一例を示す概略図である。
【００４３】
店舗情報１１２は、商品を扱う店舗を識別するための店舗ＩＤと、店舗の所在地を示す店舗位置と、店舗の連絡先の一例としてのメールアドレス、ＵＲＬ及び電話番号とを有する。
【００４４】
図６は、カタログ情報１１３の構成の一例を示す概略図である。
【００４５】
カタログ情報１１３は、利用者を識別するための利用者ＩＤと、利用者が撮影した画像情報を識別するための画像ＩＤと、画像情報に含まれる商品を識別するための商品ＩＤと、商品に関する情報の一例としての商品名、価格、店舗名、在庫及び人気度とを有する。
【００４６】
（情報処理装置の動作）
次に、本実施の形態の作用を、（１）携帯端末２側の動作、（２）情報処理サーバ１側の動作、（３）店舗判断動作に分けて説明する。
【００４７】
（１）携帯端末２側の動作
図７（ａ）−（ｄ）は、携帯端末２側の動作の一例を示す概略図である。
【００４８】
まず、図７（ａ）に示すように、利用者４は、例えば、店舗３０ａにおいて商品３００ａが気になったとする。すると、図７（ｂ）に示すように、利用者４は携帯端末２で商品３００ａを撮影する。
【００４９】
携帯端末２の撮像手段２００は、撮影ボタンが操作されると、商品３００ａが含まれる画像情報２１１を生成し、同時に撮影情報取得手段２０１はＧＰＳにより位置情報を取得し、加速度センサ及び電子コンパス等により撮影姿勢及び撮影方向を取得し、カメラにより焦点距離を取得して撮影情報２１２とする。
【００５０】
通信手段２０２は、撮影された商品の画像情報２１１と、撮影情報２１２（位置情報、撮影方向及び焦点距離）をネットワーク５を介して情報処理サーバ１に送信する。次に、以下の「（２）情報処理サーバ１側の動作」で説明する処理が情報処理サーバ１で行われた後、カタログ情報受付手段２０３は、情報処理サーバ１で生成された商品に関する情報と画像情報とを関連付けたカタログ情報１１３をカタログ情報２１３として受け付け、カタログ表示手段２０４は、図７（ｃ）に示すように、携帯端末２の表示部２５に表示する。
【００５１】
図７（ｃ）に示すように、携帯端末２の表示部２５には利用者が撮影した画像情報２５ａ−２５ｆが一例として一覧表示される。
【００５２】
次に、利用者４は携帯端末２でカタログを閲覧し、気になった商品があれば画像情報２５ａ−２５ｆから選択操作する。
【００５３】
図７（ｄ）に示すように、携帯端末２の表示部２５には利用者が選択した商品の詳細情報２５０ａが表示される。利用者４は必要であれば購入操作し、携帯端末２は購入要求を情報処理サーバ１に送信する。
【００５４】
（２）情報処理サーバ１側の動作
図８は、情報処理サーバ１の動作の一例を示すフローチャートである。
【００５５】
まず、画像受付手段１００は、携帯端末２において撮影され、携帯端末２から送信される画像情報を受け付ける（Ｓ１）。
【００５６】
また、撮影情報受付手段１０１は、携帯端末２から画像情報とともに送信される撮影情報を受け付ける（Ｓ１）。ここで、撮影情報とは、画像受付手段１００が受け付けた画像情報を撮影した際の携帯端末２の位置を表す位置情報、撮影方向、焦点距離である
【００５７】
商品管理手段１０３は、画像情報に含まれる商品に関する情報を画像情報に関連付けて商品情報１１１に登録する。画像受付手段１００が画像情報を受け付けた時点では商品に関する情報が不明であるため情報がブランクのまま登録される（Ｓ２）。例えば、図４に示す例では全ての項目が登録されているが、撮影者ＩＤ「００５」の利用者が、画像ＩＤが「０００１７」の画像情報を撮影した場合、この時点では商品ＩＤ、店舗ＩＤ及びメタタグ情報はブランクとなる。
【００５８】
次に、店舗管理手段１０２は、撮影情報受付手段１０１が受け付けた撮影情報に基づいて、商品の位置を特定し、店舗情報１１２に登録された情報から、画像情報に含まれる商品を扱う店舗を検索し、特定する（Ｓ３）。具体的には、撮影情報のＧＰＳから得た位置情報から、加速度センサ及び電子コンパスから得た撮影方向に見て、撮像部から得た焦点距離に対応した距離の位置を特定する。そして、当該位置が図５に示す店舗位置に近い店舗に特定し、商品と店舗とを関連付ける。なお、店舗の候補が複数存在する場合の特定方法は「（３）店舗判断動作」にて後述する。
【００５９】
また、商品管理手段１０３は、店舗管理手段１０２が特定した店舗の店舗ＩＤを図４に示す商品情報１１１のブランクだった店舗ＩＤに登録する（Ｓ４）。
【００６０】
次に、商品確認手段１０４は、店舗管理手段１０２が特定した店舗の端末に画像情報を送信して、画像情報に含まれる商品に関する情報の確認を要求し（Ｓ５）、店舗から返信があった場合（Ｓ６；Ｙｅｓ）、当該商品に関する情報を受け付けて商品情報１１１のメタタグ情報に登録する（Ｓ７）。店舗では、端末に届いた画像情報を店員等が確認し、画像情報に含まれる商品に関する情報を情報処理サーバ１に返信する。なお、店舗の端末が自動的に商品を特定して、商品に関する情報を返信するものであってもよい。
【００６１】
なお、既に登録された商品と同じメタタグ情報が存在する場合、例えば、図４に示す撮影者ＩＤ「００７」によって撮影された画像ＩＤ「００１０４」及び撮影者ＩＤ「０１３」によって撮影された画像ＩＤ「０００３０」の商品ＩＤ「００１」の商品と同じメタタグ情報が存在した場合、同じ商品であるとして撮影者ＩＤ「００５」によって撮影された画像ＩＤ「０００１７」の画像情報を登録する。
【００６２】
また、メタタグ管理手段１０５は、画像情報に含まれる商品と同一商品の情報が記憶部１１に予め登録されている場合やインターネット上のサイト等から情報が得られる場合、当該情報をメタタグ情報として商品情報１１１に登録する。なお、当該情報は類似画像や商品名で検索されるものであってもよいし、位置情報から検索されるものであってもよい。また、店舗に関するものであってもよい。また、情報処理サーバ１によって記憶部１１に予め登録されたメタタグ情報に比べてその他の手段によって得られたメタタグ情報の信頼度を低く設定してもよい。
【００６３】
次に、カタログ生成手段１０６は、商品情報１１１に基づいて利用者ＩＤ毎に、画像情報と商品に関する情報とを関連付けて、図６に示すように、カタログ情報１１３を生成する（Ｓ８）。図６の例は、利用者ＩＤ「００５」についてのカタログ情報１１３を示している。
【００６４】
次に、カタログ表示手段１０７は、カタログ情報１１３を携帯端末２に表示処理する（Ｓ９）。図７（ｃ）に示したように、携帯端末２で撮影した画像情報と、当該画像情報に含まれる商品に関する情報とを関連付けて表示する。
【００６５】
次に、商品発注手段１０８は、図７（ｄ）に示したように、携帯端末２において商品を発注する「購入するボタン」が操作されると（Ｓ１０；Ｙｅｓ）、当該商品を扱う店舗に商品の発注処理を行う（Ｓ１１）。
【００６６】
（３）店舗判断動作
図９（ａ）及び（ｂ）は、店舗管理手段１０２の動作の一例を示す概略図である。
【００６７】
店舗管理手段１０２は、上記したステップＳ３において、撮影情報受付手段１０１が受け付けた撮影情報に基づいて、店舗情報１１２に登録された情報から、画像情報に含まれる商品を扱う店舗を検索し、特定するが、まず、図５に示す店舗情報１１２の店舗位置から予め定めた幅内に撮影情報の位置情報が含まれるか否か判断する。
【００６８】
店舗情報１１２の店舗位置から予め定めた幅内とは、図９（ａ）に示すように、一例として、店舗３０ａについてはｘａ１＜ｘ＜ｘａ２、０＜ｙ＜ｙ１、０＜ｚ＜ｚ１の空間をいい、店舗３０ｂについてはｘｂ１＜ｘ＜ｘｂ２、０＜ｙ＜ｙ１、０＜ｚ＜ｚ１の空間をいう。
【００６９】
例えば、画像情報の位置情報がＰ１（ｘａ１＜ｘ＜ｘｂ１）である場合、店舗管理手段１０２は当該画像情報に含まれる商品情報は店舗３０ａが扱うものであると判断し、画像情報の位置情報がＰ３（ｘａ２＜ｘ＜ｘｂ２）である場合、店舗管理手段１０２は当該画像情報に含まれる商品情報は店舗３０ｂが扱うものであると判断する。
【００７０】
ここで、両空間が重なる部分、Ｐ３（ｘｂ１＜ｘ＜ｘａ２）については店舗３０ａ又は３０ｂのいずれにも特定できないため、店舗管理手段１０２は、図９（ｂ）に示すように、画像情報１００ａの輝度重心Ｂｃを求め、当該輝度重心Ｂｃの座標が画像情報のｘ方向の中心であるｘ＝ｘｃより負の方向にあるか、正の方向にあるかによって店舗３０ａ又は３０ｂのいずれに属するか判断する。店舗管理手段１０２は、図９（ａ）及び（ｂ）に示す例では、負の方向にある場合は店舗３０ａが扱うものとし、正の方向にある場合は店舗３０ｂが扱うものと判断する。
【００７１】
［他の実施の形態］
なお、本発明は、上記実施の形態に限定されず、本発明の趣旨を逸脱しない範囲で種々な変形が可能である。
【００７２】
例えば、店舗位置さえ登録されていれば露店であっても本発明を適用できる。また、露店の場合は、バーコードやＱＲコード（登録商標）等の識別記号を店舗領域付近に提示しておき、当該識別記号と店舗位置を関連づけた情報を登録しておいて、利用者に商品と識別記号とを同時に撮影させてもよい。これによりＧＰＳ、加速度センサ、電子コンパス等を有さない携帯端末であっても本発明を適用できる。
【００７３】
なお、情報処理サーバ１の機能の一部又は全部を携帯端末２に実行させる構成としてもよいし、その逆であってもよい。
【００７４】
また、店舗は独立した店舗だけでなく、複数の店舗を有するショッピングセンター等の施設でもよく、この場合、施設内のいずれの店舗の商品を撮影したか特定される。
【００７５】
上記実施の形態では制御部１０の各手段１００〜１０８の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【００７６】
本明細書及び図面には、例えば、以下の発明も開示されている。
【００７７】
（付記）
［１］コンピュータを、
撮影対象を撮影して生成された画像情報の撮影情報に基づいて当該撮影対象の位置を特定し、予め登録された複数の店舗の位置情報を参照して、少なくとも一の店舗と当該画像情報とを関連付ける管理手段として機能させるための撮影対象管理プログラムであって、
前記管理手段は、特定した前記撮影対象の位置から予め定められた幅内にある位置情報を有する店舗を、前記画像情報と関連付ける店舗として特定する、撮影対象管理プログラム。
［２］前記画像情報を関連付けられた前記店舗に送信し、前記撮影対象に関する情報を前記店舗から受け付ける確認手段と、
前記確認手段が受け付けた前記撮影対象に関する情報を前記画像情報と関連付けてカタログ情報を生成する生成手段としてさらに機能させる前記［１］に記載の撮影対象管理プログラム。
［３］前記管理手段は、前記撮影対象の位置と近い位置情報を有する店舗を１つに特定できない場合、前記画像情報の輝度重心に基づいて複数の候補から店舗を特定する前記［１］又は［２］に記載の撮影対象管理プログラム。
［４］前記カタログ情報から画像情報が選択され、注文指示を受け付けた場合、当該選択された画像情報に関連付けられた店舗に撮影対象を発注する発注手段としてさらに機能させる前記［２］に記載の撮影対象管理プログラム。
［５］撮影対象を撮影して生成された画像情報の撮影情報に基づいて当該撮影対象の位置を特定し、予め登録された複数の店舗の位置情報を参照して、少なくとも一の店舗と当該画像情報とを関連付ける管理手段を有する情報処理装置であって、
前記管理手段は、特定した前記撮影対象の位置から予め定められた幅内にある位置情報を有する店舗を、前記画像情報と関連付ける店舗として特定する、情報処理装置。
上記［１］は［５］に係る発明によれば、撮影対象を撮影して生成された画像情報と、撮影対象を扱う店舗とを関連付けることができ、特定した撮影対象の位置と近い位置情報を有する店舗を、撮影画像と関連付ける店舗として特定することができる。
上記［２］に係る発明によれば、撮影対象に関する情報を画像情報と関連付けたカタログ情報を生成することができる。
上記［３］に係る発明によれば、撮影対象の位置と近い位置情報を有する店舗を１つに特定できない場合、画像情報の輝度重心に基づいて複数の候補から店舗を特定することができる。
上記［４］に係る発明によれば、カタログ情報から画像情報が選択され、注文指示を受け付けた場合、当該選択された画像情報に関連付けられた店舗に撮影対象を発注することができる。
【符号の説明】
【００７８】
１  情報処理サーバ
２  携帯端末
３ａ、３ｂ  端末
４  利用者
５  ネットワーク
１０  制御部
１１  記憶部
１２  通信部
２０  表示部
２０ａ−２０ｆ  画像情報
３０ａ、３０ｂ  店舗
１００  画像受付手段
１０１  撮影情報受付手段
１０２  店舗管理手段
１０３  商品管理手段
１０４  商品確認手段
１０５  メタタグ管理手段
１０６  カタログ生成手段
１０７  カタログ表示手段
１０８  商品発注手段
１１０  商品管理プログラム
１１１  商品情報
１１２  店舗情報
１１３  カタログ情報
２００ａ  詳細情報
３００ａ、３００ｂ  商品
【図１】
2019204516.tif 000003
【図２】
2019204516.tif 000004
【図３】
2019204516.tif 000005
【図４】
2019204516.tif 000006
【図５】
2019204516.tif 000007
【図６】
2019204516.tif 000008
【図７】
2019204516.tif 000009
【図８】
2019204516.tif 000010
【図９】
2019204516.tif 000011